(57)【要約】【課題】  画像形成装置の機器本体奥部に紙粉溜りが形成されないようにした上で紙粉を除去することができるようにする。【解決手段】  画像形成装置１０の機器本体１１に内装された感光体ドラム１２に用紙Ｐを給紙するレジストローラ対１４の内の一方のレジストローラ（右レジストローラ１４２）に摺接して周面の紙粉を掃き寄せるブレード１９の上面１９１に堆積した紙粉を除去するものであり、ブレード１９の延びる方向に移動して該ブレード１９の上面１９１に堆積した紙粉を掃き寄せて除去する紙粉清掃部材４０が設けられ、この紙粉清掃部材４０は、機器本体１１から引き出される方向に向かって移動するとき回動体４２がブレード１９上の紙粉を掃き寄せる清掃姿勢に姿勢設定される一方、機器本体１１内に押し込まれる方向に向けて移動するとき回動体４２がブレード１９上の紙粉を掃き寄せない退避姿勢に姿勢設定されるべく姿勢変更可能に構成されている。【選択図】      図２
2005096973.tif 000002
【特許請求の範囲】
【請求項１】
画像形成装置の機器本体に内装された感光体ドラムに用紙を給紙するレジストローラ対の内の一方のレジストローラに摺接して周面の紙粉を掃き寄せる紙粉除去部材の上面に堆積した紙粉を除去する紙粉除去装置であって、
前記紙粉除去部材の延びる方向に移動して該紙粉除去部材の上面に堆積した紙粉を掃き寄せて除去する紙粉清掃部材が設けられ、
前記紙粉清掃部材は、一方側に向かって移動するとき紙粉除去部材上の紙粉を掃き寄せる清掃姿勢に姿勢設定される一方、他方側に向かって移動するとき紙粉除去部材上の紙粉を掃き寄せない退避姿勢に姿勢設定されるべく姿勢変更可能に構成されていることを特徴とする紙粉除去装置。
【請求項２】
前記機器本体内には、前記感光体ドラムに現像装置を介してトナーを供給するトナーコンテナが設けられ、このトナーコンテナは、前記紙粉除去部材の延びる方向と平行に移動して機器本体に対し着脱可能に構成され、前記紙粉清掃部材は、トナーコンテナに付設されていることを特徴とする請求項１記載の紙粉除去装置。
【請求項３】
前記紙粉清掃部材は、トナーコンテナが機器本体から引き出されるとき清掃姿勢に姿勢設定され、トナーコンテナが機器本体に押し込まれるとき退避姿勢に姿勢設定されることを特徴とする請求項２記載の紙粉除去装置。
【請求項４】
前記紙粉清掃部材は、トナーコンテナのフレームに取り付けられた縦軸と、この縦軸回りに回動自在に軸支された回動体と、この回動体の下縁部に形成され紙粉除去部材の上面に摺接して清拭する清拭部と、前記一方側に向かって移動するとき前記回動体の回動を阻止するストッパとを備えて構成されていることを特徴とする請求項１乃至３のいずれかに記載の紙粉除去装置。
【請求項５】
前記回動体には、紙粉除去部材と平行に延びる部材と摺接する摩擦部材が設けられていることを特徴とする請求項４記載の紙粉除去装置。
【発明の詳細な説明】
【技術分野】
【０００１】
本発明は、複写機やファクシミリ装置、あるいは各種のプリンタ等の画像形成装置に適用される紙粉除去装置に関するものである。
【背景技術】
【０００２】
従来、特許文献１に記載されているような画像形成装置に適用される紙粉除去装置が知られている。この紙粉除去装置は、画像形成装置に内装された感光体ドラムに用紙を給紙するレジストローラ対の一方側の周面に付着した紙粉を掻き取る紙粉除去板（マイラー）に堆積した紙粉を除去するものであり、前記マイラーの上面を払拭するスポンジを備えて構成されている。
【０００３】
前記スポンジは、画像形成装置の機器本体に対して着脱自在に装着された、感光体ドラムにトナーを供給するための現像ユニットにマイラーと対向して設けられ、着脱される現像ユニットの移動に応じてマイラーの上面を払拭するようになされている。したがって、現像ユニットの着脱操作を行う都度、マイラーの上面に堆積した紙粉は、スポンジによって清拭されるため、清拭のみを目的として作業を行う必要がなくなり、その分清拭作業の作業性が向上する。
【特許文献１】特開平１０−３９７２０号公報
【発明の開示】
【発明が解決しようとする課題】
【０００４】
ところで、特許文献１に記載されたような紙粉除去装置にあっては、スポンジが常にマイラーの上面に押圧当接されているため、現像ユニットを引き出すときはスポンジが機器本体の開口側へ向けて紙粉を払拭して紙粉が掃き出されるが、現像ユニットを機器本体内に押し込むとき、残留した紙粉が機器本体の奥部に押し込められ、かかる状態が度重なると機器本体奥部に紙粉溜りが形成されてしまうという不都合が生じる。そして、機器本体の奥部に溜まった紙粉を取り除くためには、機器本体を分解するなど極めて面倒な作業を行わなければならず、これの改善が嘱望されていた。
【０００５】
本発明は、上記のような状況に鑑みなされたものであって、画像形成装置の機器本体奥部に紙粉溜りが形成されないようにした上で紙粉除去板に堆積した紙粉を除去することができる紙粉除去装置を提供することを目的としている。
【課題を解決するための手段】
【０００６】
請求項１記載の発明は、画像形成装置の機器本体に内装された感光体ドラムに用紙を給紙するレジストローラ対の内の一方のレジストローラに摺接して周面の紙粉を掃き寄せる紙粉除去部材の上面に堆積した紙粉を除去する紙粉除去装置であって、前記紙粉除去部材の延びる方向に移動して該紙粉除去部材の上面に堆積した紙粉を掃き寄せて除去する紙粉清掃部材が設けられ、前記紙粉清掃部材は、一方側に向かって移動するとき紙粉除去部材上の紙粉を掃き寄せる清掃姿勢に姿勢設定される一方、他方側に向かって移動するとき紙粉除去部材上の紙粉を掃き寄せない退避姿勢に姿勢設定されるべく姿勢変更可能に構成されていることを特徴とするものである。
【０００７】
請求項２記載の発明は、請求項１記載の発明において、前記機器本体内には、前記感光体ドラムにトナーを供給するトナーコンテナが設けられ、このトナーコンテナは、前記紙粉除去部材の延びる方向と平行に移動して機器本体に対し着脱可能に構成され、前記紙粉清掃部材は、トナーコンテナに付設されていることを特徴とするものである。
【０００８】
請求項３記載の発明は、請求項２記載の発明において、前記紙粉清掃部材は、トナーコンテナが機器本体から引き出されるとき清掃姿勢に姿勢設定され、トナーコンテナが機器本体に押し込まれるとき退避姿勢に姿勢設定されることを特徴とするものである。
【０００９】
請求項４記載の発明は、請求項１乃至３のいずれかに記載の発明において、前記紙粉清掃部材は、トナーコンテナのフレームに取り付けられた縦軸と、この縦軸回りに回動自在に軸支された回動体と、この回動体の下縁部に形成され紙粉除去部材の上面に摺接して清拭する清拭部と、前記一方側に向かって移動するとき前記回動体の回動を阻止するストッパとを備えて構成されていることを特徴とするものである。
【００１０】
請求項５記載の発明は、請求項４記載の発明において、前記回動体には、紙粉除去部材と平行に延びる部材と摺接する摩擦部材が設けられていることを特徴とするものである。
【発明の効果】
【００１１】
請求項１記載の発明によれば、紙粉除去部材の延びる方向に移動してその上面に堆積した紙粉を掃き寄せる紙粉清掃部材は、一方側に向かって移動するとき紙粉除去部材上の紙粉を掃き寄せる清掃姿勢に姿勢設定される一方、他方側に向かって移動するとき紙粉除去部材上の紙粉を掃き寄せない退避姿勢に姿勢設定されるべく姿勢変更可能になっているため、紙粉除去部材上で清掃姿勢に姿勢設定された紙粉清掃部材により一旦一方側へ掃き寄せられた紙粉は、退避姿勢に姿勢変更された紙粉清掃部材によって他方側に掃き戻されることはない。
【００１２】
したがって、予め紙粉除去部材の一方側を紙粉の集積位置として設定しておけば、紙粉が他方側に掃き寄せられて堆積することを有効に防止することができ、堆積した紙粉を取り除くために別途大掛かりな清掃作業を行わなければならなくなるような不都合を回避することができる。
【００１３】
請求項２記載の発明によれば、感光体ドラムに現像装置を介してトナーを供給するトナーコンテナは、紙粉除去部材の延びる方向と平行に移動して機器本体に対し着脱可能になっており、しかも、紙粉清掃部材がかかるトナーコンテナに付設されているため、トナーコンテナの機器本体に対する着脱操作を行う都度紙粉除去部材に堆積した紙粉を取り除くことができる。
【００１４】
請求項３記載の発明によれば、紙粉清掃部材は、トナーコンテナが機器本体から引き出されるとき清掃姿勢に姿勢設定されて紙粉を外側に掃き出す一方、トナーコンテナが機器本体に押し込まれるとき退避姿勢に姿勢設定されて紙粉除去部材上を清拭しないため、紙粉除去部材に残った残留紙粉が紙粉清掃部材に掃かれて機器本体の奥部に堆積するような不都合の発生を確実に防止することができる。
【００１５】
請求項４記載の発明によれば、紙粉清掃部材は、トナーコンテナのフレームに取り付けられた縦軸と、この縦軸回りに回動自在に軸支された回動体と、この回動体の下縁部に形成され紙粉除去部材の上面に摺接して清拭する清拭部と、一方側に向かって移動するとき回動体の回動を阻止するストッパとを備えて構成されているため、簡単な構造でありながら、回動体を清拭姿勢と退避姿勢との間でトナーコンテナの移動方向に応じて自動的に切り換えることが可能になり、装置コストの低減化に貢献することができる。
【００１６】
請求項５記載の発明によれば、回動体には、紙粉除去部材と平行に延びる部材と摺接する摩擦部材が設けられているため、この摩擦部材の摩擦力によりトナーコンテナの機器本体に対する挿脱操作で回動体を自動的に姿勢変更させることができる。
【発明を実施するための最良の形態】
【００１７】
図１は、本発明に係る紙粉除去装置の画像形成装置内における他の部材との位置関係を示す説明図である。この図に示すように、画像形成装置１０の機器本体１１内には、軸心回りに回転可能な感光体ドラム１２が装着され、用紙カセット１３から給紙された用紙Ｐは、左レジストローラ１４１および右レジストローラ１４２からなるレジストローラ対１４間を通って感光体ドラム１２の周面の前下位置に供給され、ここでそれぞれ回転している転写ローラ１５と感光体ドラム１２とに挟持されつつ、感光体ドラム１２の周面に形成されているトナー画像が用紙Ｐに転写され、定着ローラ対１６間を通過することにより定着処理が施された後、機器本体１１の頂部に設けられた排紙トレー１７上に排紙されるようになっている。
【００１８】
時計方向に回転する感光体ドラム１２の周りには、転写ローラ１５の下流側からクリーニング装置１２１、帯電器１２２、露光器１２３および現像装置１２４が順次配設されている。そして、用紙Ｐへの転写処理が完了した感光体ドラム１２の周面は、当該感光体ドラム１２の時計方向に向かう回転にしたがって、クリーニング装置１２１で残留トナーが除去されて清浄化され、ついで帯電器１２２からのコロナ放電を得て一様に帯電され、引き続き露光器１２３からの画像データに対応したレーザー光の照射で静電潜像が形成され、最後に現像装置１２４からのトナー供給を得てトナー像が形成され、このトナー像が用紙Ｐに転写されることになる。
【００１９】
前記現像装置１２４へは、トナーコンテナ１８からトナーが補給されるようになっている。かかるトナーコンテナ１８は、機器本体１１に対して感光体ドラム１２の延びる方向（図１の紙面と直交する方向）と同一方向へ正逆移動することにより機器本体１１に対して着脱自在になっている。
【００２０】
そして、本実施形態においては、レジストローラ対１４の内の右レジストローラ１４２を対象としてその後方下部に、右レジストローラ１４２の周面に付着した紙粉を掻き取って清浄化するブレード（紙粉除去部材）１９が設けられている。したがって、軸心回りに時計方向に回転している右レジストローラ１４２の周面に付着した紙粉は、ブレード１９によって掻き取られた後、当該ブレード１９の上面１９１に堆積することになる。この堆積量が多くなると、機器の駆動による振動等で機器本体１１内に飛散し、これによって機器本体１１内の環境が汚染されため、これを防止するべくブレード１９の上面１９１に堆積した紙粉を除去するための本発明に係る紙粉除去装置２０が採用されている。
【００２１】
図２および図３は、紙粉除去装置２０の一実施形態を示す斜視図であり、図２は、回動体が清掃姿勢に姿勢設定された状態、図３は、回動体が退避姿勢に姿勢設定された状態をそれぞれ示している。なお、図２および図３において、Ｘ−Ｘ方向を前後方向、Ｙ−Ｙ方向を幅方向といい、特に−Ｘ方向を後方、＋Ｘ方向を前方、−Ｙ方向を左方、＋Ｙ方向を右方という。
【００２２】
図２に示すように、紙粉除去装置２０は、幅方向に長尺の移動板３０と、この移動板３０の左方位置に立設された紙粉清掃部材４０とを備えた基本構成を有している。移動板３０は、左方縁部がブレード１９の下方に位置するように長さ設定され、かつ、用紙カセット１３（図１）より若干上方位置で機器本体１１内の対向壁面間に水平に架設されたフレーム板１１１に載置された状態で前後方向に移動可能になっている。
【００２３】
かかる移動板３０の後縁部には、上方に向けて略直角に折り曲げられることによって形成した縁堰３１が設けられているとともに、同右方位置には、前側から切り起こされて形成した切起し片３２が設けられている。切起し片３２は、トナーコンテナ１８を外れ止め状態で移動板３０に装着するためのものであり、トナーコンテナ１８の底板に凹設された係止凹部１８１をこの切起し片３２に外嵌することによってトナーコンテナ１８の後外壁面が縁堰３１に当接し、これによってトナーコンテナ１８の移動板３０に対する装着状態が安定するようになされている。
【００２４】
また、移動板３０の裏面における幅方向の中央位置には、前後方向に向けて並設された一対の位置決めローラ３３が、それぞれの支持軸３４回りに回転自在に軸支されている一方、前記フレーム板１１１には、これらの位置決めローラ３３に対応した前後方向に延びるガイド溝１１２が凹設され、移動板３０は、一対の支持軸３４がこのガイド溝１１２にガイドされることにより、幅方向の位置決め状態で前後に正逆移動し得るようになっている。
【００２５】
図４は、紙粉清掃部材４０の一時視形態を示す斜視図であり、（イ）は、紙粉清掃部材４０が清掃姿勢に姿勢設定された状態、（ロ）は、紙粉清掃部材４０が退避姿勢に姿勢設定された状態をそれぞれ示している。なお、図４においてＸおよびＹの示す方向については図２と同じである。
【００２６】
図４に示すように、前記紙粉清掃部材４０は、移動板３０の左側方の縁堰３１近傍であって、ブレード１９より若干右方位置に立設された立設軸（縦軸）４１と、この立設軸４１回りに回動自在に軸支された回動体４２とを備えて構成されている。回動体４２は、立設軸４１に外嵌される筒体４３と、この立設軸４１から径方向に前方へ向けて突設された第１突設板４４と、同径方向に左方へ向けて突設された第２突設板４５と、これら第１および第２突設板４４，４５の上縁部間に架設された平面視で円弧状を呈する中心角が略直角の円弧天板４６とを備えている。円弧天板４６の存在で回動体４２が構造的に丈夫になり、第１および第２突設板４４，４５間の角度保持が確実に行われるようになっている。
【００２７】
かかる回動体４２は、第２突設板４５がブレード１９に対して略直角になるように対向した清掃姿勢（図２）と、この清掃姿勢から立設軸４１回りに所定角度だけ反時計方向へ回動した退避姿勢（図３）との間で姿勢変更可能になっている。そして、回動体４２が清掃姿勢に姿勢設定された状態では、第２突設板４５が移動板３０の縁堰（ストッパ）３１に当止し、これ以上立設軸４１回りに時計方向へは回動し得ないようになっている。
【００２８】
前記第２突設板４５は、上下寸法が第１突設板４４のそれより長尺に設定されているとともに、回動体４２が清掃姿勢に姿勢設定された状態で、移動板３０の左縁部から若干外方に突出するように筒体４３からの突出量が設定されている。かかる第２突設板４５には、その上端部から若干下がった位置から最下位位置にかけて鈎型に切り欠かれることによって形成した外側切欠き部４５１が形成されているとともに、下端部から上方に向けて筒体４３の下端位置までが切り欠かれることによって形成した内側切欠き部４５２が形成されている。
【００２９】
そして、前記外側切欠き部４５１の上部の第２突設板４５には、ブレード１９の上面１９１に当接し、回動体４２の前方への移動によって前記上面１９１に付着した紙粉を掃き寄せる掃き寄せ端縁（清拭部）４５３が形成されている。また、前記内側切欠き部４５２の左方には、回動体４２の一部によって形成された下方に突出する突片４５４が設けられている。この突片４５４の突出量は、移動板３０の厚み寸法より僅かに短めに設定されている。かかる突片４５４の下面には、軟質の合成樹脂やゴム等の柔軟材料からなる摩擦片（摩擦部材）４５５が付設され、この摩擦片４５５は、フレーム板１１１の上面に摺接するように厚み寸法が設定されている。
【００３０】
したがって、移動板３０を移動させると、摩擦片４５５は、フレーム板１１１に対する摩擦力で現状位置を維持しようとするため、回動体４２は、回動可能範囲内で立設軸４１回りに回動し、移動板３０の移動方向に応じて清掃姿勢と退避姿勢との間で姿勢変更することになる。
【００３１】
以下、本発明に係る紙粉除去装置２０の作用について、図５および必要に応じて図１〜図４を参照しながら説明する。図５は、紙粉除去装置２０の作用を説明するための平面視の説明図であり、（イ）は、トナーコンテナ１８を機器本体１１から引き出しつつある状態、（ロ）は、トナーコンテナ１８を機器本体１１内へ押し込みつつある状態をそれぞれ示している。
【００３２】
まず、図５の（イ）に示す状態では、トナーコンテナ１８が機器本体１１（図１）内から矢印で示す方向に引き出されることにより、この引出し力は、トナーコンテナ１８の底板の係止凹部１８１および移動板３０の切起し片３２を介して移動板３０に伝達され、これによって移動板３０は、位置決めローラ３３がフレーム板１１１のガイド溝１１２に案内されつつ前方（矢印方向）に向けて移動することになる。
【００３３】
そして、移動板３０が前方に移動すると、この移動板３０に付設された紙粉清掃部材４０も同伴移動するが、このとき、回動体４２の突片４５４に付設された摩擦片４５５が機器本体１１のフレーム板１１１に当接しているため、この摩擦力で摩擦片４５５は移動し難くなっているため、結局回動体４２は立設軸４１回りに時計方向に回動し、これによって第２突設板４５が移動板３０の縁堰３１に当止した清掃姿勢に姿勢設定される。この状態では、回動体４２はもはや回動体４２回りに回動することができなくなっているため、回動体４２は、摩擦片４５５がフレーム板１１１に対して摺接した状態で清掃姿勢を維持したまま前方に向かって移動板３０と同伴移動する。
【００３４】
この回動体４２の前方への移動によって、第２突設板４５の掃き寄せ端縁４５３がブレード１９の上面１９１に付着している紙粉を掃き寄せながら前方に向けて移動し、ブレード１９の上面１９１は、堆積していた紙粉が取り除かれて清浄化される。掃き寄せ端縁４５３によって掃き寄せられた紙粉は、機器本体１１の前部開口から機器本体１１の外部に排出される。
【００３５】
そして、トナーコンテナ１８が機器本体１１から引き出されることにより、ブレード１９の上面１９１の紙粉は、移動板３０を介してトナーコンテナ１８と同伴移動した紙粉清掃部材４０の回動体４２の掃き寄せ端縁４５３によって略完全に除去される。
【００３６】
ついで、トナーコンテナ１８が新たなものと交換され、引き続きこのトナーコンテナ１８が、図５の（ロ）に示すように、機器本体１１内に押し込まれていくと、紙粉清掃部材４０は、移動板３０を介してトナーコンテナ１８と同伴移動し、機器本体１１内に押し込まれていく。このとき、回動体４２の摩擦片４５５は、フレーム板１１１との摩擦によって現位置に留まろうとするため、回動体４２には立設軸４１回りに反時計方向に向かう力が作用し、移動板３０の機器本体１１内に向かう進行に伴って回動体４２は立設軸４１回りに反時計方向に回動し、これによって回動体４２の掃き寄せ端縁４５３はブレード１９の上面１９１から外れた状態になる。因みにこのとき、摩擦片４５５は、移動板３０の端縁と干渉するため、回動体４２のそれ以上の立設軸４１回りの回動は阻止される。
【００３７】
このように、トナーコンテナ１８が機器本体１１内に押し込まれるときは、回動体４２の掃き寄せ端縁４５３がブレード１９の上面１９１から外されるため、たとえブレード１９の上面１９１に紙粉が残留していても、この紙粉が掃き寄せ端縁４５３によって機器本体１１の奥部に向けて掃き寄せられることはなく、したがって、機器本体１１の奥部に紙粉が堆積して機器本体１１内を汚染するような不都合が確実に防止される。
【００３８】
以上詳述したように、本発明に係る紙粉除去装置２０は、画像形成装置１０の機器本体１１に内装された感光体ドラム１２に用紙Ｐを給紙するレジストローラ対１４の内の一方のレジストローラ（右レジストローラ１４２）に摺接して周面の紙粉を掃き寄せるブレード１９の上面１９１に堆積した紙粉を除去するものであり、ブレード１９の延びる方向に移動して該ブレード１９の上面１９１に堆積した紙粉を掃き寄せて除去する紙粉清掃部材４０が設けられ、この紙粉清掃部材４０は、機器本体１１から引き出される方向に向かって移動するとき回動体４２がブレード１９上の紙粉を掃き寄せる清掃姿勢に姿勢設定される一方、機器本体１１内に押し込まれる方向に向けて移動するとき回動体４２がブレード１９上の紙粉を掃き寄せない退避姿勢に姿勢設定されるべく姿勢変更可能に構成されている。
【００３９】
かかる構成によれば、ブレード１９上で清掃姿勢に姿勢設定された紙粉清掃部材４０の回動体４２により一旦機器本体１１の外方に向けて掃き出された紙粉は、退避姿勢に姿勢変更された回動体４２によって再度機器本体１１の奥部に向けて掃き戻されることはなく、紙粉が機器本体１１の奥部に掃き寄せられて堆積することを有効に防止することができる。したがって、堆積した紙粉を取り除くために別途大掛かりな清掃作業を行わなければならなくなるような不都合を回避することができる。
【００４０】
また、紙粉清掃部材４０は、ブレード１９の延びる方向と平行に移動して機器本体１１に対し着脱可能に装着されるトナーコンテナ１８に移動板３０を介して付設されているため、交換のためにトナーコンテナ１８の機器本体１１に対する着脱操作を行う都度ブレード１９に堆積した紙粉が取り除かれ、特にブレード１９の上面１９１に堆積している紙粉を除去するためだけの作業を行わなくてもよくなり、メンテナンス作業の作業性を向上させることができる。
【００４１】
また、紙粉清掃部材４０を、トナーコンテナ１８のフレームに取り付けられた立設軸４１と、この立設軸４１回りに回動自在に軸支された回動体４２と、この回動体４２の下縁部に形成されブレード１９の上面１９１に摺接して清拭する掃き寄せ端縁４５３と、回動体４２がトナーコンテナ１８の引き出し方向に移動するとき回動体４２の回動を阻止するストッパとしての移動板３０に設けられた縁堰３１とを備えて構成しているため、簡単な構造でありながら、回動体４２を清拭姿勢と退避姿勢との間でトナーコンテナ１８の移動方向に応じて自動的に切り換えることが可能になり、装置コストの低減化に貢献することができる。
【００４２】
さらに、回動体４２には、フレーム板１１１と摺接する摩擦片４５５が設けられているため、この摩擦部材の摩擦力によりトナーコンテナ１８の機器本体１１に対する挿脱操作で回動体４２を自動的に姿勢変更させる構造を簡単なものにすることができる。
【００４３】
本発明は上記の実施形態に限定されるものではなく、以下の内容をも包含するものである。
【００４４】
（１）上記の実施形態においては、紙粉清掃部材４０の移動方向に応じて回動体４２を清掃姿勢と退避姿勢との間で姿勢変更させるための摩擦片４５５が回動体４２の第２突設板４５に設けられているが、この摩擦片４５５は、フレーム板１１１と当接する必要があることから、同じ第２突設板４５に設けられた掃き寄せ端縁４５３をブレード１９の上面１９１に当接させると、摩擦片４５５がフレーム板１１１から浮き上がってしまって摩擦力を発揮し得なくなることがあるため、かかる不都合を回避するべく掃き寄せ端縁４５３とブレード１９の上面１９１とに間には僅かな隙間を形成させる必要がある。したがって、掃き寄せ端縁４５３によってブレード１９の上面１９１に堆積している紙粉を掃き寄せることはできても、掻き取ることができない。
【００４５】
そこで、摩擦片４５５を設ける代わりに、フレーム板１１１の上面に、第２突設板４５の突片４５４をガイドする往路と復路とを備えたガイド溝を設け、このガイド溝に突片４５４をガイドさせるようにしてもよい。
【００４６】
すなわち、トナーコンテナ１８が機器本体１１から引き出されるときは、回動体４２が清掃姿勢に姿勢設定されるように位置設定された往路を突片４５４が通るようにする一方、トナーコンテナ１８が機器本体１１内に押し込まれるときは、回動体４２が退避姿勢に姿勢設定されるように位置設定された復路を突片４５４が通るようにするのである。
【００４７】
突片４５４がこのようなガイド溝にガイドされるようにすることで、突片４５４の下端部を課ガイド溝の底部に当接させる必要がなくなるため、掃き寄せ端縁４５３をブレード１９の上面１９１に当接させることが可能になり、ブレード１９の上面１９１に堆積している紙粉を掻き取ることができるため、紙粉の除去効果を向上させることができる。
【００４８】
（２）上記の実施形態においては、移動板３０を支持しその移動を案内するものとしてフレーム板１１１が採用されているが、本発明は、かかるフレーム板１１１を採用することに限定されるものではなく、フレーム板１１１に代えて移動板３０の移動を案内するガイドレールを採用してもよい。
【００４９】
（３）上記の実施形態においては、紙粉除去装置２０を感光体ドラム１２の直上流側に設けられたレジストローラ対１４を対象としたブレード１９の上面１９１に堆積した紙粉除去用として採用しているが、これに限らず、他の場所に設けられたブレードに堆積する紙粉を除去するために採用してもよい。
【図面の簡単な説明】
【００５０】
【図１】本発明に係る紙粉除去装置の画像形成装置内における他の部材との位置関係を示す説明図である。
【図２】紙粉除去装置の一実施形態を示す斜視図であり、回動体が清掃姿勢に姿勢設定された状態を示している。
【図３】紙粉除去装置の一実施形態を示す斜視図であり、回動体が退避姿勢に姿勢設定された状態を示している。
【図４】紙粉清掃部材の一時視形態を示す斜視図であり、（イ）は、紙粉清掃部材が清掃姿勢に姿勢設定された状態、（ロ）は、紙粉清掃部材が退避姿勢に姿勢設定された状態をそれぞれ示している。
【図５】紙粉除去装置の作用を説明するための平面視の説明図であり、（イ）は、トナーコンテナを機器本体から引き出しつつある状態、（ロ）は、トナーコンテナを機器本体内へ押し込みつつある状態をそれぞれ示している。
【符号の説明】
【００５１】
１０  画像形成装置            １１  機器本体
１１１  フレーム板            １１２  ガイド溝
１２  感光体ドラム            １２１  クリーニング装置
１２２  帯電器                １２３  露光器
１２４  現像装置              １３  用紙カセット
１４  レジストローラ対        １４１  左レジストローラ
１４２  右レジストローラ      １５  転写ローラ
１６  定着ローラ対            １７  排紙トレー
１８  トナーコンテナ          １９  ブレード（紙粉除去部材）
１９１  上面                  ２０  紙粉除去装置
３０  移動板                  ３１  縁堰（ストッパ）
３２  切起し片                ３３  位置決めローラ
３４  支持軸                  ４０  紙粉清掃部材
４１  立設軸（縦軸）          ４２  回動体
４３  筒体                    ４４  第１突設板
４５  第２突設板              ４５１  外側切欠き部
４５２  内側切欠き部          ４５３  掃き寄せ端縁（清拭部）
４５４  突片                  ４５５  摩擦片（摩擦部材）
４６  円弧天板                Ｐ  用紙
【図１】
2005096973.tif 000003
【図２】
2005096973.tif 000004
【図３】
2005096973.tif 000005
【図４】
2005096973.tif 000006
【図５】
2005096973.tif 000007